(57)【要約】      （修正有）【課題】伝送速度が向上して、絶縁ハウジングの製造が簡単になる電気コネクタを提供する。【解決手段】相手コネクタを挿入される挿入口が開口され、前記挿入口に露出される第一導電端子４が装着される第一舌片が形成される絶縁ハウジングと、前記挿入口へ延出して、前記第一舌片と平行的に配置される第二導電端子５を装着する第二舌片とが形成される絶縁本体とを含む電気コネクタにおいて、前記絶縁ハウジングと絶縁本体は、分体型的に形成する。【選択図】図１
0003155102.tif 000002
【実用新案登録請求の範囲】
【請求項１】
相手コネクタが挿入される挿入口が開口され、前記挿入口に露出される第一導電端子が装着される第一舌片が形成される絶縁ハウジングと、
前記挿入口へ延出して、前記第一舌片と平行的に配置される第二導電端子を装着する第二舌片とが形成される絶縁本体と
を含む電気コネクタにおいて、
前記絶縁ハウジングと絶縁本体は、分体型的に形成されることを特徴とする電気コネクタ。
【請求項２】
前記挿入口は、異なる第一挿入口と第二挿入口とに区画され、前記第一導電端子が装着される第一舌片が前記第一挿入口に挿入され、前記第二導電端子が装着される第二舌片が前記第二挿入口に挿入されることを特徴とする請求項１に記載の電気コネクタ。
【請求項３】
前記第一挿入口と第二挿入口との連接する箇所に傾斜部が形成され、該傾斜部により相手コネクタの誤挿着を防止できることを特徴とする請求項２に記載の電気コネクタ。
【請求項４】
前記絶縁本体は、分離的に配置される第一絶縁本体と第二絶縁本体とを含み、前記第二舌片が前記第一絶縁本体の先端から延出するように形成されることを特徴とする請求項１に記載の電気コネクタ。
【請求項５】
前記第二導電端子は、インサート成型による前記第二絶縁本体に保持される接触端と、第一絶縁本体に保持される接続端と、前記接触端と接続端を連接して前記第一絶縁本体と第二絶縁本体を露出するように配置される連接部とを含み、前記接触端に形成される第二導電端子の接触部が前記第二舌片の第一舌片と対向する壁に露出することを特徴とする請求項４に記載の電気コネクタ。
【請求項６】
前記第二導電端子をインサート成型により装着される絶縁本体は、後方から前向きまたは上方から下向きに前記絶縁ハウジングに組み合わされたことを特徴とする請求項１に記載の電気コネクタ。
【考案の詳細な説明】
【技術分野】
【０００１】
本考案は、電気コネクタに関し、特に、相手コネクタと回路基板上の回路とを導電接続するための電気コネクタに関する。
【背景技術】
【０００２】
従来技術の電気コネクタは、特許文献１に示されるように、絶縁ハウジングと、前記絶縁ハウジングに装着された複数の導電端子と、全体を囲むシールドシェルとを含み、前記絶縁ハウジングと前記シールドシェルとによって、相手コネクタを挿入する挿入空間が形成される。絶縁ハウジングには挿入空間に延在して導電端子を装着する舌片が一体に配置され、前記導電端子は、四本を有し、舌片の上下表面にそれぞれ装着される。電気コネクタを回路基板に実装すると共に、相手コネクタを電気コネクタの挿入空間に嵌合することによって、相手コネクタと回路基板上の回路との導電接続を達成できる。
【先行技術文献】
【特許文献】
【０００３】
【特許文献１】中国実用新案公告第２３０６５８５号明細書
【考案の概要】
【考案が解決しようとする課題】
【０００４】
電気コネクタの伝送速度が発展の要求を満たさず、例えば、音楽や映画を伝送する場合には、伝送速度が１Ｇbps以上に達するが、この時、四本の導電端子を有する電気コネクタは伝送速度の使用要求を満足できないので使用が制限される。電気コネクタの伝送速度を速くために、導電端子の数量を増加することが普通であり、導電端子の増加に従って、導電端子を収容する絶縁ハウジングの構造が複雑になって、成型用の金型の形状が複雑になり、製造のコストが上がる恐れがあった。そこで新型の電気コネクタを開発することが必要である。
【０００５】
本考案は上記問題点を解消するためになされたものであり、伝送速度が向上して、絶縁ハウジングの製造が簡単になる電気コネクタを提供することを目的とする。
【課題を解決するための手段】
【０００６】
前記課題を解決するために、本考案は、相手コネクタが挿入される挿入口が開口され、前記挿入口に露出される第一導電端子が装着される第一舌片が形成される絶縁ハウジングと、前記挿入口へ延出して、前記第一舌片と平行的に配置される第二導電端子を装着する第二舌片とが形成される絶縁本体とを含む電気コネクタにおいて、前記絶縁ハウジングと絶縁本体は、分体型的に形成されることを特徴とする。
【考案の効果】
【０００７】
本考案の電気コネクタには、前記絶縁本体と第二導電端子の組合体が絶縁ハウジングと分離で配置されるので、絶縁ハウジングの構造が簡単になり、組合方式が容易になっている。また、第二導電端子を増加することによって伝送速度が向上になっている。
【図面の簡単な説明】
【０００８】
【図１】本考案に係る電気コネクタの第一実施状態の組立斜視図である。
【図２】本考案に係る電気コネクタの第一実施状態の部分の分解斜視図である。
【図３】本考案に係る電気コネクタの第一実施状態の分解斜視図である。
【図４】図３に示す電気コネクタのほかの角度から見た分解斜視図である。
【図５】本考案に係る電気コネクタの第一実施状態の絶縁本体と第二導電端子の分解斜視図である。
【図６】本考案に係る電気コネクタのほかの実施状態の絶縁本体と第二導電端子の分解斜視図である。
【図７】本考案に係る電気コネクタのほかの実施状態の金属シェル及び金属カバーを外した組立斜視図である。
【図８】図７に示す電気コネクタの他の実施状態の分解斜視図である。
【考案を実施するための形態】
【０００９】
以下、図１〜図５を参照しながら、本考案の電気コネクタ１００の第一実施形態について説明する。本考案の電気コネクタ１００は、回路基板（図示せず）に実装されると共に、相手コネクタを嵌合でき、絶縁ハウジング１と、絶縁ハウジング１０に組合わされる絶縁本体と、複数の第一導電端子４及び第二導電端子５と、絶縁ハウジング1を被覆する金属シェル６及び金属カバー7とを含む。
【００１０】
図３と図４を参照すると、前記絶縁ハウジング１は、回路基板に対向するための実装面１４と、実装面１４の両側から上向きに延出する側壁１２と、後での後壁１１とを含む。絶縁ハウジング１の先端に挿入口１０１が凹んで形成され、該挿入口１０１が幅広の第一挿入口１０２と、幅狭の第二挿入口１０７が区画される。
【００１１】
前記第一挿入口１０２に絶縁ハウジング1から一体に延出する第一舌片１０３が収容され、該第一舌片１０３の上下壁には第一導電端子４を収容するための第一端子溝１０５がそれぞれ設けられ、該第一端子溝１０５が絶縁ハウジング１の後壁１１を貫通している。
【００１２】
前記第二挿入口１０７が絶縁ハウジング１の頂面を貫通して外部空間と連通するように形成され、第一挿入口１０２と第二挿入口１０７との連接する箇所の絶縁ハウジング１には傾斜面１０６が設けられ、傾斜部１０６によって相手コネクタの誤挿着を防止できる。
【００１３】
絶縁ハウジング１の後端には外部収容空間に連通するための第一収容空間１１１が設けられ、第一端子溝１０５が前記第一収容空間１１１に連通して、絶縁ハウジング1の後端には、前記第一導電端子４のテール部４５を保持するための保持溝１１３が形成される。
【００１４】
前記絶縁ハウジング１の両側壁１２の後部には、凹み部１１６が後向きに貫通するように形成され、側壁１２の前部には金属シェル６に係合するための凸部１２１が突出するように形成される。絶縁ハウジング１の頂面には前記挿入口１０１と第一収容空間１１１に連通するための第二収容空間１３１が形成され、該第二収容空間１３１と第二挿入口１０７に連通する箇所の両側壁には係合凸部１３２がそれぞれ突出するように形成される。前記実装面１４に連接する絶縁ハウジング１の後端には、延出部１１５が延出するように形成される。
【００１５】
図３と図５を参照すると、前記絶縁本体は、分離に形成された第一絶縁本体２と第二絶縁本体３とを含み、前記第一絶縁本体２は、平板状の第一主体部２１を有し、該第一主体部２１が絶縁ハウジング１の後壁11と平行的に配置され、第一主体部２１の両側には上向きの塔部２３０がそれぞれ延出して形成され、第一主体部２１の底面の隅部には前記絶縁ハウジング1の延出部１１５に当接するための切り欠け部２４０が形成される。
【００１６】
前記第二絶縁本体３は、前記第二収容空間１３１に収容され、平板状の第二主体部３１と該第二主体部３１の先端面３２から前向きに延出して第二挿入口１０７に収容する第二舌片３２０とを含む。第二主体部３１の両側には絶縁ハウジング１の係合凸部１３２に係合するための係合凹部３４０が形成される。第二舌片３２０が前記第一舌片１０３と平行に配置され、第一舌片１０３が第二舌片３２０より肉厚である。
【００１７】
図３と図4を参照すると、前記第一導電端子４は、第一舌片１０３の上下壁の第一端子溝１０５にそれぞれ収容するための上列端子４１及び下列端子４２とを含み、第一端子溝１０５に保持するための第一保持部４４と、保持部４４の一端から前向きに延出する第一接触部４３と、保持部４４の他端から後向きに延出する第一テール部４５とを含み、第一テール部４５が絶縁ハウジング１の保持溝１１３により保持される。
【００１８】
図５を参照すると、前記第二導電端子５は、インサート成型により前記第一絶縁本体２及び第二絶縁本体３に保持され、水平方向で前記第二絶縁本体３に保持された接触端５１と、前記第一絶縁本体２に保持された接続端５２と、前記接触端５１と接続端５２を連接する連接部５３とを含み、前記接触端５１には前記第二舌片３２０の第一舌片１０３に対向する下表面に露出する第二接触部５１０を設け、前記接続端５２の末端に第一絶縁本体２を突出する第二テール部５２２が設けられ、前記連接部５３が前記第一絶縁本体２と第第二絶縁本体３の外部を露出するように配置される。
【００１９】
図３と図４を参照すると、金属シェル６は、前方から後方までに沿って絶縁ハウジング１に被覆して、絶縁ハウジング１の頂面を覆う天板６１と、天板６１の両側から垂直するように延出する両側板６２と、絶縁ハウジング１の先端に覆う先端板６３とを含み、側板６２には、前記挿入口１０１に突出する弾性片６２４と、絶縁ハウジング１の凸部１２１に係合するための第一保持孔６２１と、金属カバー７に係合する第二保持孔６２２とが形成される。
【００２０】
金属カバー７が後方から絶縁ハウジング１に組合され、主体板71と、主体板７１の両側から折曲って延出する側板７３とを含む。側板7３から前向きに延出する延出部７３０が絶縁ハウジング１の凹み部１１６に収容され、延出部７３０には金属シェル６の第二保持孔６２２に係合するための係合片７３１が設けられる。
【００２１】
前記第一絶縁本体２と第二絶縁本体３と第二導電端子５の組合体が上方から下方向きに絶縁ハウジング１に組付けられる。
【００２２】
図６乃至図８を参照すると、本考案に係る電気コネクタの他の実施形態であり、第一実施形態と異なることは、第一絶縁本体と第二絶縁本体の構造であり、前記第一実施形態と同じことはここで説明しない。他の実施形態で、第一絶縁本体２`は、平板状の第一主体部２１`を有し、前記第一主体部２１`が絶縁ハウジング１`の後壁１１`と平行的に配置され、第一主体部２１`の両側には絶縁ハウジング１`の当接面１１５`に当接するための突出部２１０`がそれぞれ形成される。
【００２３】
他の実施形態の第二絶縁本体３`は、第二収容空間１３１`に収容され、平板状の第二主体部３１`と、該第二主体部３１`の先端面`から前向きに延出して第二挿入口１０７`に収容する第二舌片３２０`とを含む。該第二主体部３１`の両側に絶縁ハウジング１`の保持溝１１７`に係合するための保持部３１０`が形成され、該保持部３１０`の先端が前記係合凸部１３２`に当接し、また、該保持部３１０`には保持溝１１７`の内壁に干渉するための凸状リブ３１１’が形成される。
【００２４】
前記第二導電端子５`がインサート成型により第一絶縁本体２`と第二絶縁本体３`に保持される。第一実施形態と異なるのは、第一絶縁本体２`と第二絶縁本体３`と第二導電端子５`の組合体が後方から前方向きに絶縁ハウジング１`に組付けられることである。
【００２５】
本考案に係る電気コネクタにおいて、前記第一絶縁本体と第二絶縁本体と第二導電端子の組合体が絶縁ハウジング１と分離で配置されるので、絶縁ハウジングの構造が簡単になり、組合方式が容易になっている。また、第二導電端子を増加することによって伝送速度が向上している。
【００２６】
以上、本考案について最良の実施の形態を参照して詳細に説明したが、実施形態はあくまでも例示的なものであり、これらに限定されない。また、本考案に基づきなしうる細部の修正或は変更など、いずれも本考案の請求範囲に属するものとする。
【符号の説明】
【００２７】
１００  電気コネクタ
１、１`  絶縁ハウジング
２、２`  第一絶縁本体
３、３`  第二絶縁本体
４  第一導電端子
５、５`  第二導電端子
６  金属シェル
７  金属カバー
【図１】
0003155102.tif 000003
【図２】
0003155102.tif 000004
【図３】
0003155102.tif 000005
【図４】
0003155102.tif 000006
【図５】
0003155102.tif 000007
【図６】
0003155102.tif 000008
【図７】
0003155102.tif 000009
【図８】
0003155102.tif 000010